(57)【要約】      （修正有）【課題】小型で処理時間が速く、安価な電子ペーパシステムを提供することを課題とする。【解決手段】電子ペーパの両面の対向する位置に配置されたページ指定信号接点と、電子ペーパに加えられたページ検知信号を所定量減衰させる減衰素子と、減衰されたページ検知信号と、ページ指定信号を比較する比較手段と、その比較結果に基づいて、駆動信号を表示駆動部に接続するスイッチを有し、書き込み装置は、ページ検知信号を発生するページ検知信号発生手段と、ページ指定信号接点に接続し、画像を表示する電子ペーパを特定するページ指定信号を送信するページ指定手段を有し、ページ指定手段が送信したページ指定信号と、減衰素子で減衰されたページ検知信号とを比較手段が比較した結果に基づいてスイッチが駆動信号を表示駆動部に接続し、所定のページの電子ペーパに画像を表示することを特徴とする電子ペーパシステム。【選択図】図５
2007183331.tif 000002
【特許請求の範囲】
【請求項１】
画像を表示する表示部と、
駆動信号に基づいて、前記表示部を駆動する表示駆動部と、
電子ペーパを積み重ねると直列に接続されるように両面の対向する位置に配置された一対の駆動信号接点と、
を有する電子ペーパと、
積み重ねた前記電子ペーパの前記駆動信号接点に接続するバスプローブと、
前記駆動信号を前記バスプローブを介して、前記電子ペーパへ順次送信する駆動信号発生部と、
を有する書き込み装置と、
からなる電子ペーパシステムであって、
前記電子ペーパは、
前記電子ペーパを積み重ねると直列に接続されるように、前記電子ペーパの両面の対向する位置に配置された一対のページ指定信号接点と、
前記電子ペーパを積み重ねると直列に接続されるように、前記電子ペーパの両面の対向する位置に配置されたページ検知信号入力接点、およびページ検知信号出力接点と、
前記ページ検知信号入力接点に加えられたページ検知信号を、所定量減衰させて前記ページ検知信号出力接点に出力する減衰素子と、
前記減衰素子で減衰されたページ検知信号と、ページ指定信号を比較する比較手段と、
前記比較手段の比較結果に基づいて、前記駆動信号を前記表示駆動部に接続するスイッチと、
を有し、
前記書き込み装置は、
前記ページ検知信号を発生するページ検知信号発生手段と、
前記ページ指定信号接点に接続し、前記画像を表示する前記電子ペーパを特定するページ指定信号を送信するページ指定手段と、
を有することを特徴とする電子ペーパシステム。
【請求項２】
前記ページ検知信号は電圧であり、前記減衰素子は抵抗であることを特徴とする請求項１に記載の電子ペーパシステム。
【請求項３】
前記ページ検知信号は光であり、前記減衰素子は光量を減衰させる素子であることを特徴とする請求項１に記載の電子ペーパシステム。
【請求項４】
前記ページ検知信号は電磁波であり、前記減衰素子は電磁波を減衰させる素子であることを特徴とする請求項１に記載の電子ペーパシステム。
【請求項５】
前記書き込み装置は、
積み重ねられた前記電子ペーパによって減衰した前記ページ検知信号を検知する信号レベル検知手段と、
前記信号レベル検知手段が検知した前記ページ検知信号の信号レベルと、
積み重ねられた前記電子ペーパの総ページ数を算出する総ページ数算出手段と、
を有し、
前記総ページ数算出手段は、前記信号レベル検知手段が検知した信号レベルと、前記減衰素子による前記電子ペーパの１ページあたりの減衰量から、前記電子ペーパの枚数を算出することを特徴とする請求項１乃至４の何れか１項に記載の電子ペーパシステム。
【発明の詳細な説明】
【技術分野】
【０００１】
本発明は、電子ペーパシステムに関する。
【背景技術】
【０００２】
近年、情報化社会の発展に伴い、電子ディスプレイと紙の長所を兼ね備えた薄型表示装置としての電子ペーパが注目されている。電子ペーパは、無電力で表示を維持でき、また表示を書き換えるために少ない電力しか必要としない、という特徴を持つので、電子ブック、電子カタログ、電子値札、電子広告等への利用が検討されている。
【０００３】
電子ペーパは、紙と同様に、複数の電子ペーパを重ねて束ねて使用することが考えられる。そこで、例えば、特許文献１では、複数の電子ペーパを有する電子ブックが提案されている。
【０００４】
また、電子ペーパをファイル型に束ねて、電子ペーパと本体とを着脱可能とし、表示用データは電子ペーパの表示部に備えられた不揮発性メモリに記録することにより、本体から取り外した電子ペーパが、その表示内容を保持する電子ペーパファイルが提案されている（例えば、特許文献２参照）。
【０００５】
しかしながら、例えば特許文献２に開示されている方法では、本体に接続された複数の電子ペーパをそれぞれ識別するために、画像書き込み機能を持つ本体と各電子ペーパを一対一、すなわち並列に接続する必要があった。そのため、各電子ペーパに接続コネクタ等を設けるので、多数重ねて使用するとき、複数の電子ペーパの上下関係などを識別するのが煩雑になる、という問題があった。
【０００６】
このような問題を解決するため、画像書き込み手段と各電子ペーパを直列に接続し、画像書き込み手段からページ番号の情報を付加して、各電子ペーパに画像データを順次送信する方法が提案されている（例えば、特許文献３参照）。
【特許文献１】特表平１１−５０２９５０号公報
【特許文献２】特開２００１−３１２２２７号公報
【特許文献３】特開２００４−１８４９１４号公報
【発明の開示】
【発明が解決しようとする課題】
【０００７】
しかしながら、特許文献３に開示されている方法においては、画像書き込み手段が画像データとともに画像を表示すべきページ情報と、現在のページ情報を１ページ目の電子ペーパに送信する。１ページ目の電子ペーパは送信された表示すべきページ情報と現在のページ情報が一致する場合は画像の表示を行い、一致しない場合は現在のページ番号に１を加算して画像データとともに２ページ目の電子ペーパに伝送する。このように、各電子ペーパがページ情報の判定と加算を行った後、順次画像データとページ情報を伝送を行っている。
【０００８】
そのため、上記特許文献３に開示されている方式では、各電子ペーパ毎に判定と加算の処理を行うためのＣＰＵやメモリが必要になるので、電子ペーパファイルの厚みが厚くなり、またコスト高になるという課題があった。さらに、各電子ペーパ毎に順次判定と加算の処理を行うため、ページ数が多くなると、処理時間がかかるという課題があった。
【０００９】
本発明は、上記課題に鑑みてなされたものであって、小型で処理時間が速く、安価な電子ペーパシステムを提供することを課題とする。
【課題を解決するための手段】
【００１０】
本発明の目的は、下記構成により達成することができる。
【００１１】
１．
画像を表示する表示部と、
駆動信号に基づいて、前記表示部を駆動する表示駆動部と、
電子ペーパを積み重ねると直列に接続されるように両面の対向する位置に配置された一対の駆動信号接点と、
を有する電子ペーパと、
積み重ねた前記電子ペーパの前記駆動信号接点に接続するバスプローブと、
前記駆動信号を前記バスプローブを介して、前記電子ペーパへ順次送信する駆動信号発生部と、
を有する書き込み装置と、
からなる電子ペーパシステムであって、
前記電子ペーパは、
前記電子ペーパを積み重ねると直列に接続されるように、前記電子ペーパの両面の対向する位置に配置された一対のページ指定信号接点と、
前記電子ペーパを積み重ねると直列に接続されるように、前記電子ペーパの両面の対向する位置に配置されたページ検知信号入力接点、およびページ検知信号出力接点と、
前記ページ検知信号入力接点に加えられたページ検知信号を、所定量減衰させて前記ページ検知信号出力接点に出力する減衰素子と、
前記減衰素子で減衰されたページ検知信号と、ページ指定信号を比較する比較手段と、
前記比較手段の比較結果に基づいて、前記駆動信号を前記表示駆動部に接続するスイッチと、
を有し、
前記書き込み装置は、
前記ページ検知信号を発生するページ検知信号発生手段と、
前記ページ指定信号接点に接続し、前記画像を表示する前記電子ペーパを特定するページ指定信号を送信するページ指定手段と、
を有することを特徴とする電子ペーパシステム。
【００１２】
２．
前記ページ検知信号は電圧であり、前記減衰素子は抵抗であることを特徴とする１に記載の電子ペーパシステム。
【００１３】
３．
前記ページ検知信号は光であり、前記減衰素子は光量を減衰させる素子であることを特徴とする１に記載の電子ペーパシステム。
【００１４】
４．
前記ページ検知信号は電磁波であり、前記減衰素子は電磁波を減衰させる素子であることを特徴とする１に記載の電子ペーパシステム。
【００１５】
５．
前記書き込み装置は、
積み重ねられた前記電子ペーパによって減衰した前記ページ検知信号を検知する信号レベル検知手段と、
前記信号レベル検知手段が検知した前記ページ検知信号の信号レベルと、
積み重ねられた前記電子ペーパの総ページ数を算出する総ページ数算出手段と、
を有し、
前記総ページ数算出手段は、前記信号レベル検知手段が検知した信号レベルと、前記減衰素子による前記電子ペーパの１ページあたりの減衰量から、前記電子ペーパの枚数を算出することを特徴とする１乃至４の何れか１項に記載の電子ペーパシステム。
【発明の効果】
【００１６】
本発明によれば、電子ペーパにＣＰＵやメモリが不要で、小型で処理時間が速く、安価な電子ペーパシステムを提供することができる。
【発明を実施するための最良の形態】
【００１７】
以下、図面に基づき本発明の実施形態を説明する。
【００１８】
まず、本発明の実施形態に係わる電子ペーパ１００の一例について、図１を用いて説明する。
【００１９】
図１は本発明に係わる電子ペーパ１００の構成の一例を説明する説明図である。
【００２０】
表示部１０１は画像を表示する表示部であり、電子ペーパ１００として用いるためには、一旦書き込んだ画像を、電源を供給しなくても半永久的に表示し続けるといった特徴（メモリー性）のある表示素子を用いることが望ましい。メモリー性のある表示素子としては、例えば、カイラルネマチック液晶表示素子、エレクトロクロミック表示素子、サーモクロミック表示素子、電気泳動表示素子、電解析出表示素子等があるが、本実施形態では何れを用いても良い。
【００２１】
表示部１０１の駆動方法としては、各画素を構成する例えば液晶などの表示素子を挟持する両側の接点をそれぞれ縦方向、横方向の導線の配線で駆動する単純マトリクス駆動、および単純マトリクス駆動の構造に加えて画素の一つ一つにアクティブ素子を付けたアクティブマトリクス駆動の駆動方法が知られている。
【００２２】
単純マトリクス駆動方式は、描画を行いたいライン以外にも電圧がかかるクロストークという現象が発生するため、表示性能では後述のアクティブマトリクス方式に劣るが、安価に製造できるというメリットがある。
【００２３】
一方、アクティブマトリクス駆動方式は、画素の中にアクティブ素子を持ち、描画したいとき以外はデータバスと電気的に絶縁されるため、クロストークが生じない。このアクティブ素子には例えばａ−Ｓｉ  ＴＦＴやｐｏｌｙ−Ｓｉ  ＴＦＴが利用されている。これらのアクティブ素子を基板上に形成するためのプロセスにより、製造コストは上昇してしまうが、良好な表示性能を達成できるというメリットがある。
【００２４】
近年、有機ＴＦＴ技術を利用して、アクティブマトリクス部を形成できることが知られている。有機ＴＦＴ技術を用いれば、アクティブマトリクス部を安価に製造でき、電子ペーパ１００の製造コストを単純マトリクス方式と近いものにすることができる。
【００２５】
なお、本実施形態は単純マトリクス方式、アクティブマトリクス方式の何れにも適用できる。
【００２６】
駆動回路１０２は走査駆動回路１０２ａと信号駆動回路１０２ｂから成る。走査駆動回路１０２ａが出力する走査信号と、信号駆動回路１０２ｂが各画素に出力する画像信号が同じタイミングで加えられた画素に順次画像データが書き込まれ、画像が表示される。駆動回路１０２は、通常ＩＣの形で基板上に実装されるが、有機ＴＦＴを利用して、表示部１０１と一体に形成することもできる。
【００２７】
ページ検知信号入力接点１０３とページ指定信号接点１０５、および図１には図示せぬページ検知信号出力接点１０４については、図２と図３を用いて説明する。
【００２８】
図２は本発明の第１の実施形態に係わる電子ペーパ１００の回路ブロック図、図３は本発明の第１の実施形態に係わる電子ペーパ１００を積み重ねたときの状態を説明する説明図である。
【００２９】
図２のブロック図に示すように、ページ検知信号入力接点１０３とページ検知信号出力接点１０４は、電子ペーパ１００の両面の対向する位置に配置されていて、間に抵抗１０９を介して接続されている。抵抗１０９は本実施形態の減衰素子である。
【００３０】
ページ検知信号入力接点１０３とページ検知信号出力接点１０４は、図３に示すように、別の電子ペーパ１００を重ねたときに直列に接続するようになっている。例えば、図３のようにページ検知信号入力接点１０３は電子ペーパ１００の裏面に凹部を形成し、一方、ページ検知信号出力接点１０４は表面に凸部を形成すると、重ねたときにこの凹凸がガイドになって位置決めが行われ、２つの接点が電気的に接触する構成にすることができる。なお、電子ペーパ１００が軽いときは、電気的な接続がとりにくい場合があるが、その場合は、それぞれの電子ペーパ１００に磁石等の吸着手段を設け、位置決めと接点接続を確実に行うことが望ましい。ページ指定信号接点１０５、ページ指定信号接点１０６、バス接点１０７、バス接点１０８についても同様である。
【００３１】
図３に示すように、ページ指定信号接点１０５とページ指定信号接点１０６は、電子ペーパ１００の両面の対向する位置に配置されていて、図２のブロック図に示すように、間は電気的に短絡している。別の電子ペーパ１００を重ねたときは、バスとして機能するので、ページ指定信号接点１０５とページ指定信号接点１０６のどちらから信号を入力しても良い。
【００３２】
バス接点１０７とバス接点１０８は、電子ペーパ１００の両面の対向する位置に配置されていて、接点間は電気的に短絡しているので、別の電子ペーパ１００を重ねたときは、バスとして機能する。バス接点１０７とバス接点１０８は本実施形態における駆動信号接点である。
【００３３】
図３には一部しか図示していないが、バス接点１０７とバス接点１０８は画素数に応じて複数配設されている。後述するように、書き込み装置４００はバス接点１０７またはバス接点１０８から、各電子ペーパ１００に共通な電源電圧、制御信号、データ信号を供給する。
【００３４】
比較器１１０は、本実施形態の比較手段である。本実施形態では、比較器１１０としてウィンドウコンパレータを用いた例を説明する。
【００３５】
比較器１１０は、ページ指定信号接点１０５ａから入力されたページ指定信号Ｖｒｅｆ１と、ページ指定信号接点１０５ｂから入力されたページ指定信号Ｖｒｅｆ２と、ページ検知信号出力接点１０４の電圧Ｖｓを比較し、比較結果に基づいて出力電圧Ｖｏを出力する。
【００３６】
例えばＶｒｅｆ１≦Ｖｓ≦Ｖｒｅｆ２のとき、出力電圧Ｖｏは’Ｈ’レベルの電圧を出力する。詳細な動作については後述する。
【００３７】
スイッチ１１１は、比較器１１０の出力に応じてオン、オフするスイッチであり、オン時はバス接点１０７と駆動回路１０２を接続し、書き込み装置４００からバス接点１０７を介して電源電圧、制御信号、データ信号が駆動回路１０２に供給されるようになっている。例えば、比較器１１０の出力電圧Ｖｏが’Ｈ’レベルのとき、スイッチ１１１はオンになる。
【００３８】
なお、図２では、駆動回路１０２に入力する全ての信号経路をスイッチ１１１がオン、オフして、駆動回路１０２の駆動を制御するように図示しているが、必ずしも全ての信号経路をオン、オフする必要はなく、駆動回路１０２によって行われる表示部１０１の各画素に対する画像データの書き込み動作をオン、オフできれば良い。例えば、前記目的を達成できるのであれば、スイッチ１１１は電源電圧だけを比較器１１０の出力に応じてオン、オフしても良い。
【００３９】
また、例えば駆動回路１０２が表示部１０１への出力をオン、オフする機能を持つ端子を有するのであれば、比較器１１０の出力を駆動回路１０２の前記端子に接続しても良い。この場合、電源電圧、データ信号、その他の制御信号は、積み重ねられたすべての電子ペーパ１００に並列に与えられ、各駆動回路１０２に入力される。一方、比較器１１０の出力がアクティブになった駆動回路１０２だけが、入力された信号に基づいて表示部１０１を駆動する。
【００４０】
次に、図４、図５を用いて電子ペーパシステム１の構成を説明する。
【００４１】
図４は本発明の第１の実施形態に係わる電子ペーパシステム１の外観図、図５は本発明の第１の実施形態に係わる電子ペーパシステム１の一例を説明するブロック図である。
【００４２】
最初に図４について説明する。
【００４３】
電子ペーパシステム１は電子ペーパ１００と書き込み装置４００から構成され、図４では電子ペーパ１００Ａ、電子ペーパ１００Ｂ、電子ペーパ１００Ｃの３枚が書き込み装置４００に装着されている状態を示している。各電子ペーパ１００は積み重ねられ、電子ペーパ１００のページ検知信号入力接点１０３、ページ検知信号出力接点１０４、ページ指定信号接点１０５、ページ指定信号接点１０６は、図４には図示せぬ第１のプローブ４０１、第２のプローブ４０２、ページ指定信号プローブ４０３、バスプローブ４０４と接続されている。第１のプローブ４０１、第２のプローブ４０２、ページ指定信号プローブ４０３、バスプローブ４０４はページ検知信号入力接点１０３、ページ検知信号出力接点１０４、ページ指定信号接点１０５、ページ指定信号接点１０６に対応する書き込み装置４００の内側の位置に設けられている。
【００４４】
圧着レバー４１３をセットすることにより、各接点と各プローブはそれぞれ接続する。また、圧着レバー４１３を解除することにより、電子ペーパ１００を取り外すことができる。書き込み機４００で電子ペーパ１００に書き込まれた画像は、そのまま保持されるので取り外した電子ペーパ１００は印刷物と同じように取り扱える。
【００４５】
図４では、入出力部４１２にケーブル４１１を介してパーソナルコンピュータ４１０が接続されている状態を図示している。パーソナルコンピュータ４１０から画像データを書き込み装置４００に送信し、電子ペーパ１００に描画することもできる。
【００４６】
次に、図５を用いて電子ペーパシステム１の回路ブロックについて説明する。
【００４７】
図５は、本発明の第１の実施形態における電子ペーパシステム１の回路ブロックの一例である。第１の実施形態では、ページ検知信号として電圧を用い、減衰素子として抵抗１０９を用いる例を説明する。
【００４８】
図５では、電子ペーパ１００Ａ、電子ペーパ１００Ｂ、電子ペーパ１００Ｃの３枚が書き込み装置４００に装着されている状態の回路ブロックを示している。以下、各電子ペーパ１００の同一機能を持つ部品には同番号を付し、番号の後にＡ、Ｂ、Ｃの符号を付けて区別する。また、図２で説明した電子ペーパ１００と同一機能を有する機能部品には同番号を付し、説明を省略する。
【００４９】
最初に、書き込み装置４００について説明する。
【００５０】
書き込み装置４００は、コントローラ４０７によって集中制御されている。コントローラ４０７は、ＣＰＵ４８０（中央処理装置）とＲＡＭ４８１（Ｒａｎｄａｍ  Ａｃｃｅｓｓ  Ｍｅｍｏｒｙ），ＲＯＭ４８２（Ｒｅａｄ  Ｏｎｌｙ  Ｍｅｍｏｒｙ）、等から構成され、不揮発性の記憶部であるＲＯＭに記憶されているプログラムをＲＡＭに読み出し、当該プログラムに従って書き込み装置４００の各部を集中制御する。
【００５１】
駆動信号発生部４８５は、ＣＰＵ４８０からの指令により、ＲＡＭ４８１に記憶されている画像データを読み出し、電子ペーパ１００に画像を表示するための、駆動信号、電圧、制御信号などを発生する。
【００５２】
ページ指定部４８４は、ＣＰＵ４８０からの指令により、ページ指定信号として所定のページ指定信号Ｖｒｅｆ１、ページ指定信号Ｖｒｅｆ２を発生する。
【００５３】
コントローラ４０７は、入出力部４１２を介してＵＳＢ（Ｕｎｉｖｅｒｓａｌ  Ｓｅｒｉａｌ  Ｂｕｓ）などの通信プロトコルにより、パーソナルコンピュータ４１０と通信する。ユーザは、パーソナルコンピュータ４１０の図示せぬディスプレイの画面を見ながら、図示せぬキーボードやマウスなどを操作し、パーソナルコンピュータ４１０で作成した画像データを書き込み装置４００に送信し、電子ペーパ１００の任意のページに書き込みを指令する。
【００５４】
次に、書き込み装置４００と電子ペーパ１００の接続部について説明する。
【００５５】
図５に示すように、第２のプローブ４０２はページ検知信号入力接点１０３Ａに、第１のプローブ４０１はページ検知信号出力接点１０４Ｃに、ページ指定信号プローブ４０３ａとページ指定信号プローブ４０３ｂはページ指定信号接点１０５ａＡ、ページ指定信号接点１０５ｂＡに、バスプローブ４０４はバス接点１０７Ａに接続されている。バス接点１０７Ａは図３に示すように複数の接点があり、バスプローブ４０４は各バス接点１０７Ａに接続するように複数設けられている。
【００５６】
第１のプローブ４０１は、信号用電源４０６のグランド側に接続されている。第２のプローブ４０２は、電流計測部４０５を介して信号用電源４０６のプラス側に接続されている。電流計測部４０５は、信号用電源４０６から第２のプローブ４０２に流れる電流値を計測するために設けられている。電流計測部４０５内部の入出力間には、電流値を計測するための微少抵抗が設けられていて、微少抵抗の両端に発生した電圧を内蔵するＡ／Ｄ変換器によりデジタル値に変換し、コントローラ４０７にページ検知信号の信号レベルとして出力する。電流計測部４０５は第１の実施形態の信号レベル検知手段である。
【００５７】
駆動部用電源４９０は書き込み装置４００の各部に必要な電源を供給する。
【００５８】
次に、第１の実施形態における書き込み手順について説明する。
【００５９】
図６は本発明の第１の実施形態における書き込み装置４００による電子ペーパ１００への画像書き込み手順を説明するフローチャートである。
【００６０】
書き込み装置４００には、図５のように予め電子ペーパ１００が３枚装着されているものとする。
【００６１】
信号用電源４０６から、電流計測部４０５を介して、第２のプローブ４０２に一定電圧が印加され、電流は、抵抗１０９Ａ、１０９Ｂ、１０９Ｃを通って、第１のプローブ４０１に流れ、信号用電源４０６のグランドに戻っている。
【００６２】
以下、フローチャートに基づき手順を説明する。
このとき、各電子ペーパ１００の比較器１１０Ａ、１００Ｂ、１１０Ｃには、抵抗１０９Ａ、１０９Ｂ、１０９Ｃで減衰した電圧が印加される。例えば、信号用電源４０６の信号電圧が３Ｖだとすると、抵抗１０９が１ＫΩの時、一番上の電子ペーパ１００Ａの比較器１１０Ａは約２Ｖ、真中の電子ペーパ１００Ｂの比較器１１０Ｂは約１Ｖ、一番下の電子ペーパ１００Ｃの比較器１１０Ｃには０Ｖが印加される。
【００６３】
Ｓ１０１：コントローラ４０７は、電流計測部４０５から出力されるページ検知信号の信号レベルを受信するステップである。
【００６４】
コントローラ４０７が、電流計測部４０５から出力されるページ検知信号の信号レベルを受信する（ステップＳ１０１）。例えば、信号用電源４０６の信号電圧が３Ｖだとすると、抵抗１０９が１ＫΩの時、電流は１ｍＡであり、電流計測部４０５は１ｍＡに相当するデジタル値を出力する。
【００６５】
Ｓ１０２：ＣＰＵ４８０は、信号レベルから総ページ数を算出する。
【００６６】
ＣＰＵ４８０が、信号レベルから総ページ数を算出するステップである（ステップＳ１０２）。
【００６７】
一例として、信号用電源４０６の出力電圧は３Ｖ、各抵抗１０９が１ＫΩの場合について説明する。
【００６８】
このとき、３枚の電子ペーパが装着されていると、抵抗１０９の総和は３ＫΩであり、１ｍＡの電流が流れることになる。電流計測部４０５は計測した電流値をデジタル値に変換してページ検知信号として出力するので、１ｍＡに相当するデジタル値として例えば８０を出力する。
【００６９】
仮に、２枚の電子ペーパが装着されている場合は、１．５ｍＡの電流が流れることになり、電流計測部４０５は、１．５ｍＡに相当するデジタル値として例えば１２０を出力する。
【００７０】
このように、信号用電源４０６の出力電圧と、各抵抗１０９の抵抗値がわかっていれば、電流計測部４０５が出力する電流値のデジタル値から抵抗の数、すなわち電子ペーパの枚数を算出できる。ＣＰＵ４８０は、ＲＯＭ４８２に信号用電源４０６の出力電圧と、各抵抗１０９の抵抗値を記憶しているので、電流計測部４０５が出力する電流値のデジタル値から電子ペーパの枚数を算出し、結果を入出力部４１２からパーソナルコンピュータ４１０に送信する。ＣＰＵ４８０は、本実施形態の総ページ数算出手段である。
【００７１】
Ｓ１０３：パーソナルコンピュータ４１０は、電子ペーパの枚数を表示する。
【００７２】
パーソナルコンピュータ４１０は、ＣＰＵ４８０から送信された電子ペーパの枚数を表示する。（ステップＳ１０３）。
【００７３】
Ｓ１０４：ユーザは、画像を書き込みたいページと書き込む画像を選択する。
【００７４】
ユーザは、パーソナルコンピュータ４１０に表示される画面を見ながら、キーボードなどを操作し、画像を書き込みたいページと書き込む画像を選択する。選択した画像を書き込みたいページと書き込む画像は、入出力部４１２を介してパーソナルコンピュータ４１０からコントローラ４０７に送信される（ステップＳ１０４）。
【００７５】
Ｓ１０５：コントローラ４０７は画像を書き込むページのページ指定信号を出力する。
【００７６】
ＣＰＵ４８０は、パーソナルコンピュータ４１０から受信した画像を書き込みたいページのページ指定信号の電圧を算出し、ページ指定部４８４に指令する。ページ指定部４８４は指令されたページ指定信号Ｖｒｅｆ１、ページ指定信号Ｖｒｅｆ２を発生する。
【００７７】
例えば、３枚の電子ペーパが装着されているものとし２枚目の電子ペーパ１００Ｂをユーザが指定したものとする。また、信号用電源４０６の出力電圧は３Ｖ、各抵抗１０９が１ＫΩとして説明する。
【００７８】
このとき、一番上の電子ペーパ１００Ａの比較器１１０Ａには約２Ｖ、２枚目の電子ペーパ１００Ｂの比較器１１０Ｂには約１Ｖ、一番下の電子ペーパ１００Ｃの比較器１１０Ｃには０Ｖが入力されている。ＣＰＵ４８０は、ＲＯＭ４８２に記憶されている信号用電源４０６の出力電圧と、電子ペーパ１００の抵抗値から、２枚目の電子ペーパ１００Ｂの比較器１１０Ｂの入力電圧すなわち１Ｖを算出し、ページ指定部４８４に指令する。ページ指定部４８４は、ノイズなど誤差要因を加味したページ指定信号Ｖｒｅｆ１、ページ指定信号Ｖｒｅｆ２を発生する。例えば、Ｖｒｅｆ１は１．１Ｖ、Ｖｒｅｆ２は０．９Ｖである。
【００７９】
ページ指定信号Ｖｒｅｆ１、ページ指定信号Ｖｒｅｆ２が出力されると、Ｖｒｅｆ１からＶｒｅｆ２までの電圧が入力されている比較器１１０だけがハイレベルを出力する。すなわち、Ｖｒｅｆ１は１．１Ｖ、Ｖｒｅｆ２は０．９Ｖだとすると、１Ｖが入力されている比較器１１０Ｂだけがハイレベルを出力する。
【００８０】
比較器１１０Ｂだけがハイレベルを出力すると、スイッチ１１１Ｂがオンになり駆動信号発生部４８５の出力が駆動回路１０２Ｂに接続された状態になる。
【００８１】
Ｓ１０６：ユーザは、書き込みボタンをオンにする。
【００８２】
ユーザは、パーソナルコンピュータ４１０に表示される画面を見ながら、マウスなどを操作し、書き込みボタンをオンにする。書き込みボタンオンの信号は、入出力部４１２を介してパーソナルコンピュータ４１０からコントローラ４０７に送信される（ステップＳ１０６）。
【００８３】
Ｓ１０７：コントローラ４０７は電子ペーパ１００に画像データを書き込む。
【００８４】
ＣＰＵ４８０は駆動信号発生部４８５に指令し、画像データを書き込む制御信号を発生させる。ステップＳ１０５で駆動信号発生部４８５と接続された状態になっている駆動回路１０２Ｂに、画像データと制御信号が送信され、駆動回路１０２Ｂは表示部１０１Ｂに画像を書き込む（ステップＳ１０７）。
【００８５】
以上で書き込みの手順は終了である。
【００８６】
次に、ページ検知信号として光を用いてページ検知を行う第２の実施形態について図７と図８、図９を用いて説明する。
【００８７】
図７は本発明の第２の実施形態に係わる電子ペーパ１００を積み重ねたときの状態を説明する説明図、図８は本発明の第２の実施形態に係わる電子ペーパシステム１の一例を説明するブロック図である。図９は本発明の第２の実施形態に係わる電子ペーパシステム１の別の例を説明するブロック図である。
【００８８】
最初に第１の実施形態との違いを図７を用いて説明する。各電子ペーパ１００には開口１７３が設けられていて、電子ペーパ１００を積み重ねたとき、開口１７３も重なるようになっている。
【００８９】
開口１７３の表面はガラスなどの透明な材料で覆われていても良い。開口１７３の内部にはハーフミラ１１２が設けられていて、最上部の電子ペーパ１００Ａから照射した光束は、ハーフミラ１１２により反射された一部の光束が各電子ペーパ１００の内部に導かれるが、透過した残りの光束は最下層の電子ペーパ１００の開口１７３から射出する。ハーフミラ１１２は本実施形態の減衰素子である。
【００９０】
また、第１の電源接点１９０と第２の電源接点１９１が電子ペーパ１００の両面の対向する位置に配置されていて、間は導体で接続されている。
【００９１】
その他の構成部品ついては図３で説明した第１の実施形態と同じであり、同番号を付し説明を省略する。
【００９２】
次に図８と図５で説明した第１の実施形態のブロック図との違いについて説明する。
【００９３】
書き込み装置４００には開口１７３に臨む位置に発光部４０８と受光部４１０が設けられている。発光部４０８は、例えばＬＥＤなどの光源を有し、信号用電源４０６から定電圧の供給を受けて一定の光量で開口１７３に向けて発光する。受光部４１０は、例えばフォトダイオードなどの受光素子を有し、開口１７３の透過光を受光し、光量に応じた受光素子の出力を、内蔵するＡ／Ｄ変換器でデジタル値に変換し、検知信号の信号レベルとしてコントローラ４０７に送信する。
【００９４】
ハーフミラ１１２は開口１７３を透過する発光部４０８から発光された光束の一部を反射する。フォトダイオード１１３はハーフミラ１１２を反射した光束を受光するように配置されている。フォトダイオード１１３のカソード側は第１の電源接点１９０に接続され、アノード側には抵抗１１４が接続されている。抵抗１１４の他端はグランドに設置されている。フォトダイオード１１３は第１の電源接点１９０から電圧を印加されているので、ハーフミラ１１２からの入射光の光量に応じた光電流を発生し、光電流が流れる抵抗１１４には光量に応じた電圧Ｖｓが発生する。電圧Ｖｓは比較機１１０に入力され、ページ指定信号接点１０５ａから入力されたページ指定信号Ｖｒｅｆ１と、ページ指定信号接点１０５ｂから入力されたページ指定信号Ｖｒｅｆ２とを比較し、比較結果に基づいて出力電圧Ｖｏを出力する。
【００９５】
その他の構成部品ついては図５で説明した第１の実施形態と同じであり、同番号を付し説明を省略する。
【００９６】
図８ではハーフミラー１１２を用いて光量を減衰させる例を説明したが、ａ−Ｓｉフォトダイオード１９５や、有機半導体を利用したフォトダイオードを利用すると、検出素子と減衰素子の両方の機能を持たせることができる。図９にブロック図を示す。
【００９７】
図９のようにａ−Ｓｉフォトダイオード１９５がハーフミラー１１２の代わりに、開口１７３を透過する光束を受光する位置に設けられている。ａ−Ｓｉフォトダイオード１９５は、入射した光に応じた電流を出力するが、その際に光を減衰させる。例えば、１μｍの膜厚では、波長５５０ｎｍの光に対し、約６０％程度の透過率を示す。
【００９８】
そのため、図９のようにハーフミラ１１２の代わりに光路の途中に配置すると、減衰素子として機能させることができる。ａ−Ｓｉフォトダイオード１９５は、図９のようにカソード側は第１の電源接点１９０に接続され、アノード側には抵抗１１４が接続されている。フォトダイオード１１３と同様に、ａ−Ｓｉフォトダイオード１９５に入射した光量に応じた光電流を発生し、光電流が流れる抵抗１１４には光量に応じた電圧Ｖｓが発生する。このようにすると、部品点数を削減でき、電子ペーパ１００を小型に構成することができる。
【００９９】
その他の構成部品ついては図７の説明と同じであり、同番号を付し説明を省略する。
【０１００】
ａ−Ｓｉフォトダイオード１９５は、有機半導体を利用したフォトダイオードなどでも良いが、これらのフォトダイオードは、電子ペーパ１００の表示部を構成する基板に一体形成することができるので、製造上容易であり、コストも削減できる。
【０１０１】
次に、第２の実施形態における書き込み手順について説明する。
【０１０２】
図１０は本発明の第２の実施形態において、書き込み装置４００による電子ペーパ１００への画像書き込み手順を説明するフローチャートである。
【０１０３】
書き込み装置４００には、図５のように予め電子ペーパ１００が３枚書き込み装置４００に装着されているものとする。
【０１０４】
信号用電源４０６から、発光部４０８に一定電圧が印加され、電子ペーパ１００内を通った光束は受光部４１０で受光されている。
【０１０５】
以下、フローチャートに基づき手順を説明する。なお、今までに説明したステップと同一の手順には同番号を付し、説明を省略する。
【０１０６】
Ｓ２０１：コントローラ４０７は、受光部４１０から出力されるページ検知信号の信号レベルを受信する。
【０１０７】
Ｓ２０２：ＣＰＵ４８０は、受信したページ検知信号の信号レベルから総ページ数を算出する。
【０１０８】
ＣＰＵ４８０が、ページ検知信号の信号レベルから総ページ数を算出するステップである（ステップＳ２０２）。
【０１０９】
一例として、ハーフミラー１１２の透過率を１／２として説明する。ハーフミラー１１２の代わりにａ−Ｓｉフォトダイオード１９５の光を減衰する機能を利用する場合でも、同様の手順で総ページ数を算出できるので、ここではハーフミラー１１２を用いる場合について説明する。
【０１１０】
ハーフミラー１１２の透過率は１／２なので、開口１７３を透過する光量は、電子ペーパ１００内のハーフミラー１１２により、１枚あたり１／２に減衰する。３枚の電子ペーパ１００が積み重ねられている場合は、（１／２）3＝１／８の光量が受光部４１０に照射される。受光部４１０は、計測した光量をデジタル値に変換して出力するので、１／８の光量に相当するデジタル値として例えば２５を信号レベルとして出力する。
【０１１１】
仮に、２枚の電子ペーパが装着されている場合は、（１／２）2＝１／４の光量が受光部４０８に照射されることになり、受光部４０８は、１／４に相当するデジタル値として例えば５０を出力する。
【０１１２】
発光部４０８の光量は予め所定の光量に設定されていて、発光部４０８と受光部４１０間に遮るものが無い場合に受光部４１０が出力するデジタル値は予めＲＯＭ４８２に記憶されている。この場合に相当するデジタル値は、例えば２００である。
【０１１３】
このように、予めハーフミラー１１２の透過率と、発光部４０８と受光部４１０間に遮るものが無い場合に受光部４１０が出力するデジタル値がわかっていれば、受光部４１０が出力する光量のデジタル値からハーフミラー１１２の数、すなわち電子ペーパの枚数を算出できる。ＣＰＵ４８０は、ＲＯＭ４８２にハーフミラー１１２の透過率と、発光部４０８と受光部４１０間に遮るものが無い場合に受光部４１０が出力するデジタル値を記憶しているので、発光部４０８が出力する光量のデジタル値から電子ペーパの枚数を算出し、結果を入出力部４１２からパーソナルコンピュータ４１０に送信する。ＣＰＵ４８０は、本実施形態の総ページ数算出手段である。
【０１１４】
Ｓ１０３：パーソナルコンピュータ４１０は、電子ペーパの枚数を表示する。
【０１１５】
Ｓ１０４：ユーザは、画像を書き込みたいページと書き込む画像を選択する。
【０１１６】
Ｓ２０５：コントローラ４０７は画像を書き込むページのページ指定信号を出力する。
【０１１７】
ＣＰＵ４８０は、パーソナルコンピュータ４１０から受信した画像を書き込みたいページのページ指定信号の電圧を算出し、ページ指定部４８４に指令する。ページ指定部４８４は指令されたページ指定信号Ｖｒｅｆ１、ページ指定信号Ｖｒｅｆ２を発生する。
【０１１８】
以下、一例として、３枚の電子ペーパが装着されているものとし２枚目の電子ペーパ１００Ｂをユーザが指定したものとする。また、ハーフミラー１１２の透過率は１／２として説明する。
【０１１９】
このとき、一番上の電子ペーパ１００Ａのフォトダイオード１１３Ａが受光する光量は発光部４０８の光量の約１／２、２枚目の電子ペーパ１００Ｂのフォトダイオード１１３Ｂが受光する光量は発光部４０８の光量の約１／４、また一番下の電子ペーパ１００Ｃのフォトダイオード１１３Ｂが受光する光量は約１／８である。フォトダイオード１１３は光量に応じた電流を発生し、抵抗１１４により比較器１１０の入力電圧Ｖｓに変換されている。例えば一番上の電子ペーパ１００Ａの比較器１１０Ａの入力電圧ＶｓＡを４Ｖだとすると、２枚目の電子ペーパ１００Ｂの比較器１１０Ｂの入力電圧ＶｓＢは２Ｖ、３枚目の電子ペーパ１００Ｃの比較器１１０Ｃの入力電圧ＶｓＣは１Ｖである。
【０１２０】
ＣＰＵ４８０は、ＲＯＭ４８２に記憶されているハーフミラー１１２の透過率と発光部４０８の光量を受光したときに発生する入力電圧Ｖｓの値から、２枚目の電子ペーパ１００Ｂの比較器１１０Ｂの入力電圧ＶｓＢすなわち２Ｖを算出し、ページ指定部４８４に指令する。ページ指定部４８４はノイズなど誤差要因を加味したページ指定信号の電圧Ｖｒｅｆ１、Ｖｒｅｆ２を発生する。例えば、Ｖｒｅｆ１は２．１Ｖ、Ｖｒｅｆ２は１．９Ｖである。
【０１２１】
ページ指定信号Ｖｒｅｆ１、ページ指定信号Ｖｒｅｆ２が出力されると、Ｖｒｅｆ１からＶｒｅｆ２までの電圧が入力されている比較器１１０の出力だけがハイレベルになる。すなわち、Ｖｒｅｆ１は２．１Ｖ、Ｖｒｅｆ２は１．９Ｖだとすると、２Ｖが入力されている比較器１１０Ｂだけがハイレベルを出力する。
【０１２２】
比較器１１０Ｂがハイレベルになると、スイッチ１１１Ｂがオンになり駆動信号発生部４８５の出力が駆動回路１０２Ｂに接続された状態になる。
【０１２３】
Ｓ１０６：ユーザは、書き込みボタンをオンにするステップである。
【０１２４】
Ｓ１０７：コントローラ４０７は電子ペーパ１００に画像データを書き込む。
【０１２５】
以上で書き込みの手順は終了である。
【０１２６】
次に、ページ検知信号として電磁波を用いてページ検知を行う第３の実施形態について図１１と図１２を用いて説明する。
【０１２７】
図１１は本発明の第３の実施形態に係わる電子ペーパ１００を積み重ねたときの状態を説明する説明図、図１２は本発明の第３の実施形態に係わる電子ペーパシステム１の一例を説明するブロック図である。図１１は本発明の第３の実施形態に係わる電子ペーパシステム１の別の例を説明するブロック図である。
【０１２８】
最初に第２の実施形態との違いを図７を用いて説明する。各電子ペーパ１００には開口１７３は無く、電子ペーパ１００の内部にシールド板１８１、受信部１８２が設けられている。後述するようにシールド板１８１と受信部１８２に向けて電磁波を送信するため、書き込み装置４００の送信部１８０が設けられている。電磁波を送信する部分の電子ペーパ１００の筐体はプラスチック等の電磁波を透過する部材で構成されている。一方、シールド板１８１は鉄、銅などの薄板であり、電磁波を減衰させる性質を持っている。
【０１２９】
送信部１８０からは対向する位置に配置された受信部１８２Ｄに向けて、強い指向性の電磁波を発信する。送信部１８０からから発信した電磁波は、シールド板１８１Ａ、シールド板１８１Ｂ、シールド板１８１Ｃにより減衰され。また、シールド板１８１で減衰された電磁波は、アンテナを備えた受信部１８２Ａ、受信部１８２Ｂ、受信部１８２Ｃ、および受信部１８２Ｄで受信される。シールド板１８１は本実施形態の減衰素子である。
【０１３０】
その他の構成部品ついては図９で説明した第２の実施形態と同じであり、同番号を付し説明を省略する。
【０１３１】
次に図１２と図８で説明した第２の実施形態のブロック図との違いについて説明する。
【０１３２】
書き込み装置４００には電子ペーパ１００に内蔵されたシールド板１８１と受信部１８２に臨む位置に送信部１８０が設けられている。送信部１８０は、アンテナを有し、信号用電源４０６から定電圧の供給を受けて一定の強度で所定の周波数の電磁波を送信する。
【０１３３】
受信部１８２は、アンテナを有し、電磁波を受信し、電波強度に応じた電圧Ｖｓを出力する。受信部１８２Ｄの電圧出力は、Ａ／Ｄ変換器１８３でデジタル値に変換して、コントローラ４０７に送信される。
【０１３４】
電圧Ｖｓは比較機１１０に入力され、ページ指定信号接点１０５ａから入力されたページ指定信号Ｖｒｅｆ１と、ページ指定信号接点１０５ｂから入力されたページ指定信号Ｖｒｅｆ２とを比較し、比較結果に基づいて出力電圧Ｖｏを出力する。
【０１３５】
その他の構成部品ついては図５で説明した第１の実施形態と同じであり、同番号を付し説明を省略する。
【０１３６】
次に、第３の実施形態における書き込み手順について説明する。
【０１３７】
図１３は本発明の第３の実施形態において、書き込み装置４００による電子ペーパ１００への画像書き込み手順を説明するフローチャートである。
【０１３８】
書き込み装置４００には、図５のように予め電子ペーパ１００が３枚書き込み装置４００に装着されているものとする。
【０１３９】
送信部１８０は受信部１８２に向けて電磁波を送信している。
【０１４０】
以下、フローチャートに基づき手順を説明する。なお、今までに説明したステップと同一の手順には同番号を付し、説明を省略する。
【０１４１】
Ｓ３０１：コントローラ４０７は、Ａ／Ｄ変換器１８３から出力されるページ検知信号の信号レベルを受信する。
【０１４２】
Ｓ３０２：ＣＰＵ４８０は、信号レベルから総ページ数を算出する。
【０１４３】
ＣＰＵ４８０が、ページ検知信号から総ページ数を算出するステップである（ステップＳ２０２）。
【０１４４】
一例として、シールド板１８１による電磁波の減衰率を１／２として説明する。
【０１４５】
シールド板１８１の減衰率は１／２なので、電子ペーパ１００を透過する強度は、電子ペーパ１００内のシールド板１８１により、１枚あたり１／２に減衰する。３枚の電子ペーパ１００が積み重ねられている場合は、（１／２）3＝１／８の電磁波が受信部１８２Ｄに到達する。受信部１８２Ｄの出力はＡ／Ｄ変換器１８３によりデジタル値に変換してページ検知信号として出力するので、１／８の光量に相当するデジタル値として例えば２５を出力する。
【０１４６】
仮に、２枚の電子ペーパが装着されている場合は、（１／２）2＝１／４の電磁波が受信部１８２Ｄに到達することになり、Ａ／Ｄ変換器１８３は、１／４に相当するデジタル値として例えば５０を出力する。
【０１４７】
送信部１８０の送信する電磁波の強度は予め所定の強度に設定されていて、送信部１８０と受信部１８２Ｄの間に遮るものが無い場合に、Ａ／Ｄ変換器１８３が出力するデジタル値は予めＲＯＭ４８２に記憶されている。この場合に相当するデジタル値は、例えば２００である。
【０１４８】
このように、ＣＰＵ４８０は第２の実施形態と同様の手順でに総ページ数算出する。ＣＰＵ４８０は、本実施形態の総ページ数算出手段である。
【０１４９】
Ｓ１０３：パーソナルコンピュータ４１０は、電子ペーパの枚数を表示する。
【０１５０】
Ｓ１０４：ユーザは、画像を書き込みたいページと書き込む画像を選択する。
【０１５１】
Ｓ３０５：コントローラ４０７は画像を書き込むページのページ指定信号を出力する。
【０１５２】
ＣＰＵ４８０は、パーソナルコンピュータ４１０から受信した画像を書き込みたいページのページ指定信号を算出し、ページ指定部４８４に指令する。ページ指定部４８４は指令されたページ指定信号Ｖｒｅｆ１、ページ指定信号Ｖｒｅｆ２を発生する。
【０１５３】
例えば、３枚の電子ペーパが装着されているものとし２枚目の電子ペーパ１００Ｂをユーザが指定したものとする。また、シールド板１８１の減衰率は１／２として説明する。
【０１５４】
第２の実施形態と同様に、ＣＰＵ４８０は、ＲＯＭ４８２に記憶されているシールド板１８１の減衰率と送信部１８０の送信する電磁波を受信したときに発生する入力電圧Ｖｓの値から、所定の電子ペーパ１００の比較器１１０の入力電圧Ｖｓを算出し、ページ指定部４８４に指令する。
【０１５５】
Ｓ１０６：ユーザは、書き込みボタンをオンにするステップである。
【０１５６】
Ｓ１０７：コントローラ４０７は電子ペーパ１００に画像データを書き込む。
【０１５７】
以上で書き込みの手順は終了である。
【０１５８】
このように、電子ペーパ１００の総枚数を検出でき、任意のページ位置の電子ペーパ１００を書き換えることができる。電子ペーパ１００には画像データを記憶するためのメモリーや、データ処理をするためのＣＰＵを含まない。さらに電子ペーパ１００は、すべて同じ構成で、個別にＩＤ情報などは持たないため、各電子ペーパ１００に不揮発性メモリー等のＩＤを記憶する手段は不要である。また製造時に個別ＩＤを管理したりする管理コストも発生せず、安価に製造可能である。
【０１５９】
本実施の形態の他にも、例えば１０枚の電子ペーパ１００をセットしておき、５ページの文書を上から順番に描画するといった使い方も可能である。さらに、書き込み装置４００が電子ペーパ１００の総枚数を認識しているため、セットされている電子ペーパ１００の数が、描画するページ数よりも少ない場合は、警告するなどの処置も可能である。
【０１６０】
以上このように、本実施形態によれば、小型で処理時間が速く、安価な電子ペーパシステムを提供することができる。
【図面の簡単な説明】
【０１６１】
【図１】図１は本発明に係わる電子ペーパ１００の構成の一例を説明する説明図である。
【図２】本発明の第１の実施形態に係わる電子ペーパ１００の回路ブロック図である。
【図３】本発明の第１の実施形態に係わる電子ペーパ１００を積み重ねたときの状態を説明する説明図である。
【図４】図４は本発明の第１の実施形態に係わる電子ペーパシステム１の外観図である。
【図５】図５は本発明の第１の実施形態に係わる電子ペーパシステム１の一例を説明するブロック図である。
【図６】本発明の第１の実施形態における書き込み装置４００による電子ペーパ１００への画像書き込み手順を説明するフローチャートである。
【図７】本発明の第２の実施形態に係わる電子ペーパ１００を積み重ねたときの状態を説明する説明図である。
【図８】図８は本発明の第２の実施形態に係わる電子ペーパシステム１の一例を説明するブロック図である。
【図９】本発明の第２の実施形態に係わる電子ペーパシステム１の別の例を説明するブロック図である。
【図１０】本発明の第２の実施形態において、書き込み装置４００による電子ペーパ１００への画像書き込み手順を説明するフローチャートである。
【図１１】本発明の第３の実施形態に係わる電子ペーパ１００を積み重ねたときの状態を説明する説明図
【図１２】本発明の第３の実施形態に係わる電子ペーパシステム１の一例を説明するブロック図である。
【図１３】本発明の第３の実施形態において、書き込み装置４００による電子ペーパ１００への画像書き込み手順を説明するフローチャートである。
【符号の説明】
【０１６２】
１００  電子ペーパ
１０１  表示部
１０２  駆動回路
１０３  ページ検知信号入力接点
１０４  ページ検知信号出力接点
１０５  ページ指定信号接点
１０９  抵抗
１１０  比較器
４００  書き込み装置
４０１  プローブ
４０５  電流計測部
４０６  信号用電源
４０７  コントローラ
４０８  ＣＰＵ
【図１】
2007183331.tif 000003
【図２】
2007183331.tif 000004
【図３】
2007183331.tif 000005
【図４】
2007183331.tif 000006
【図５】
2007183331.tif 000007
【図６】
2007183331.tif 000008
【図７】
2007183331.tif 000009
【図８】
2007183331.tif 000010
【図９】
2007183331.tif 000011
【図１０】
2007183331.tif 000012
【図１１】
2007183331.tif 000013
【図１２】
2007183331.tif 000014
【図１３】
2007183331.tif 000015